(57)【要約】【課題】ＩＰ通信網に収容されているＩＰ電話機や、回線交換網に収容されている一般電話機との間の接続を任意に行うことができるＩＰ電話システムを提供する。【解決手段】ＩＰ電話機と、ＩＰ通信網及び回線交換網を構成する交換機の一部とを接続する端末・網接続手段と、該ＩＰ通信網を構成するルータの一部と該回線交換網を構成する交換機の一部とを接続する回線交換網接続手段と、該ＩＰ通信網を構成するルータに接続され、該端末・網接続手段及び該回線交換網接続手段毎のデータ及び通話インスタンスごとのデータを保存して、該ＩＰ電話機や該交換機に収容される一般電話機との間の接続を管理する装置・通話管理手段とを備えてＩＰ電話システムを構成する。【選択図】　　　図１
2004032205.tif 000002
【特許請求の範囲】
【請求項１】
ＩＰ電話機と、ＩＰ通信網及び回線交換網を構成する交換機の一部とを接続する端末・網接続手段と、
該ＩＰ通信網を構成するルータの一部と、該回線交換網を構成する交換機の一部とを接続する回線交換網接続手段と、
該ＩＰ通信網を構成するルータの一部に接続され、該端末・網接続手段及び該回線交換網接続手段毎のデータ及び通話インスタンスごとのデータを保存して、該ＩＰ電話機や該交換機に収容される一般電話機との間の接続を管理する装置・通話管理手段と
を備える
ことを特徴とするＩＰ電話システム。
【請求項２】
請求項１記載のＩＰ電話システムであって、
上記端末・網接続手段が、
上記ＩＰ電話機と１：１に対応して配置され、
自己に固有な識別子とＩＰアドレスを保有し、
該識別子及び該ＩＰアドレスを上記交換機を経由して上記装置・通話管理手段に通知する機能を備える
ことを特徴とするＩＰ電話システム。
【請求項３】
請求項１記載のＩＰ電話システムであって、
上記回線交換網接続手段が、
自己に固有な識別子とＩＰアドレスを保有し、
該識別子と該ＩＰアドレスを該装置・通話管理手段に通知する機能を備える
ことを特徴とするＩＰ電話システム。
【請求項４】
請求項１記載のＩＰ電話システムであって、
上記一般電話機が、
自己に固有な電話番号を上記交換機を経由して上記装置・通話管理手段に通知する機能を備える
ことを特徴とするＩＰ電話システム。
【発明の詳細な説明】
【０００１】
【発明の属する技術分野】
本発明は、ＩＰ電話システム（「ＩＰ」は、Ｉｎｔｅｒｎｅｔ　Ｐｒｏｔｏｃｏｌ　の頭文字による、広く使われている略語であるので、この明細書では一貫して略語「ＩＰ」を使用する。）に係り、特に、ＩＰ通信網に収容されているＩＰ電話機や、回線交換網に収容されている一般電話機との間の接続を任意に行うことができるＩＰ電話システムに関する。
【０００２】
近年、ＩＰ通信網が急速に普及しており、該ＩＰ通信網を介して電話音声、データ、画像など多種の情報を統合的に通信できるようになっている。
特に、電話音声の場合には、ＩＰ通信網における交換機能を安価なルータによって実現できるために、回線交換網とは違って電話音声に専用の高価な交換機が不要となり、電話網構築のためのコストを大幅に逓減することができる上に、通信距離や通信時間に必ずしもリンクしない課金方式が可能であるため、通話料金が大幅に安くなるという利点を利用者に提供することができる。従って、ＩＰ電話サービスが急速に普及している。
【０００３】
しかし、回線交換網に収容される一般電話機の数は既におびただしいものになっていることも厳然たる事実である。従って、ＩＰ電話機と一般電話機との間で任意に通話を行うことができる柔軟なＩＰ電話システムの実現が待たれている。
【０００４】
【従来の技術】
図３１は、従来のＩＰ電話システムの問題点を示す図である。
図３１において、１及び１ａはＩＰ通信網に収容されているＩＰ電話機、５及び５ａはＩＰ電話機１、１ａをＩＰ通信網に接続するためのアダプタ、６乃至６ｅはＩＰ通信網を構成するルータである。
【０００５】
又、７及び７ａは回線交換網に収容されている一般電話機、８及び８ａは回線交換網を構成する交換機である。尚、回線交換網は、交換機ばかりでなく、中継器を含む伝送装置も含んで構成されが、ここでは伝送技術は直接関係しないので図示を省略している。
ここで、ＩＰ通信網を構成するルータの一部と、回線交換網を構成する交換機の一部が接続されている。図３１には、ルータ６ｃと交換機８、ルータ６ｄと交換機８ａが接続されている例を示している。
【０００６】
そして、図３１のＩＰ電話システムにおいては、当然、ＩＰ電話機１とＩＰ電話機１ａ間の接続と、一般電話機７と一般電話機７ａ間の接続が可能である。
その上に、例えば、ＩＰ電話機１から一般電話機７への接続は可能である（図３１では、破線の矢印に丸印を付してＩＰ電話機１から一般電話機７への接続は可能であることを示している。）。
【０００７】
【発明が解決しようとする課題】
しかし、従来のＩＰ電話システムでは、例えば、一般電話機７ａからＩＰ電話機１ａへの接続は不可能である（図３１では、破線の矢印に×印を付して一般電話機７ａからＩＰ電話機１ａへの接続は不可能であることを示している。）。即ち、従来のＩＰ電話システムではＩＰ通信網側から発信して回線交換網側に接続することは可能でも、回線交換網側から発信してＩＰ通信網側に接続することは不可能で、ＩＰ通信網と回線交換網間では片方向接続機能しか実現できない。
【０００８】
従って、例えば、一般電話機７ａを所有している回線交換網の加入者がＩＰ通信網に収容されているＩＰ電話機との通話と回線交換網に収容されている一般電話機との通話を必要とする場合には、ＩＰ通信網に収容される他のＩＰ電話機を設置（図示していない。）して、自分が発信する場合にはＩＰ電話機を使用し、一般電話機しか所有していない別の加入者からの電話を受信する場合には一般電話機７ａを使用するというように、２台の電話機を設置して各々を使い分けなければならないという問題が生ずる。
【０００９】
又、この場合、一般電話機７ａの番号と新たに設置するＩＰ電話機の番号は当然異なり、又、電話の発信、受信の操作も当然異なることになるので、利用者にとっては使いづらいという問題も生ずる。
本発明は、かかる問題点に鑑み、ＩＰ通信網に収容されているＩＰ電話機と、回線交換網に収容されている一般電話機との間の通話を任意に行うことができるＩＰ電話システムを提供することを目的とする。
【００１０】
【課題を解決するための手段】
第一の発明は、ＩＰ電話機と、ＩＰ通信網及び回線交換網を構成する交換機の一部とを接続する端末・網接続手段と、該ＩＰ通信網を構成するルータの一部と該回線交換網を構成する交換機の一部とを接続する回線交換網接続手段と、該ＩＰ通信網を構成するルータの一部に接続され、該端末・網接続手段及び該回線交換網接続手段ごとのデータ及び通話インスタンスごとのデータを保存して、該ＩＰ電話機や該交換機に収容される一般電話機との間の接続を管理する装置・通話管理手段とを備えることを特徴とするＩＰ電話システムである。
【００１１】
第一の発明によれば、該装置・通話管理手段が、該ＩＰ電話機又は該一般電話機からの発信情報を解析し、該発信情報に対応した接続経路を決定し、決定された接続経路上に配置されている該端末・網接続手段又は該回線交換網接続手段又は該交換機が接続処理を行うので、該ＩＰ電話機や該一般電話機との間の接続を任意に行うことができる。
【００１２】
第二の発明は、第一の発明のＩＰ電話システムであって、上記端末・網接続手段が、上記ＩＰ電話機と１：１に対応して配置され、自己に固有な識別子とＩＰアドレスを保有し、該識別子及び該ＩＰアドレスを上記交換機を経由して上記装置・通話管理手段に通知する機能を備えることを特徴とするＩＰ電話システムである。
【００１３】
第二の発明によれば、該端末・網接続手段が、該ＩＰ電話機と１：１に対応して配置され、自己に固有な識別子とＩＰアドレスを保有し、該識別子及び該ＩＰアドレスを該交換機を経由して該装置・通話管理手段に通知する機能を備えるので、該装置・通話管理手段は、該ＩＰ電話機の電話番号に正しく対応した該識別子及び該ＩＰアドレスを得ることができ、正しい接続経路を決定することができる。
【００１４】
第三の発明は、上記回線交換網接続手段が、自己に固有な識別子とＩＰアドレスを保有し、該識別子と該ＩＰアドレスを該装置・通話管理手段に通知する機能を備えることを特徴とするＩＰ電話システムである。
第三の発明によれば、該回線交換網接続手段が、自己に固有な識別子とＩＰアドレスを保有し、該識別子と該ＩＰアドレスを該装置・通話管理手段に通知する機能を備えるので、通知された情報に従って正しい接続経路を決定することができる。
【００１５】
第四の発明は、第一の発明のＩＰ電話システムであって、上記一般電話機が、自己に固有な電話番号を上記交換機を経由して上記装置・通話管理手段に通知する機能を備えることを特徴とするＩＰ電話システムである。
第四の発明によれば、該一般電話機が、自己に固有な電話番号を該交換機を経由して該装置・通話管理手段に通知する機能を備えるので、該装置・通話管理手段は正しい接続経路を決定することができる。
【００１６】
【発明の実施の形態】
以降、図面も併用して本発明の技術を詳細に説明する。
図１は、本発明のＩＰ電話システムの構成である。
図１において、１及び１ａはＩＰ通信網に収容されているＩＰ電話機、２及び２ａはＩＰ電話機１及び１ａをＩＰ通信網又は回線交換網に接続する端末・網接続手段、６乃至６ｅはＩＰ通信網を構成するルータ、４及び４ａは該ＩＰ通信網を構成するルータの一部と該回線交換網を構成する交換機の一部とを接続する回線交換網接続手段、３はＩＰ通信網を構成するいずれかのルータに接続されて、該端末・網接続手段及び該回線交換網接続手段毎のデータ及び通話インスタンスごとのデータを保存して、該ＩＰ電話機や該交換機に収容される一般電話機との間の接続を管理する装置・通話管理手段である。
【００１７】
ここで、装置・通話管理手段３と回線交換網接続手段４及び４ａは、ＩＰ通信網を構成するルータに接続されているので、図１ではＩＰ通信網内の構成要素として扱っているが、ルータと接続されているだけでＩＰ通信網とは独立な構成要素と考えてもよい。
そして、回線交換網接続手段は、ＩＰ通信網と回線交換網の地域的な広がりを考慮して複数設置するのが好ましく、装置・通話管理手段は、図１のＩＰ電話システムの中でＩＰ電話機や一般電話機の間の接続処理を矛盾なく行なう必要があるので設置数は１とすべきである。但し、装置・通話管理手段の冗長設置を拒むものではない。
【００１８】
又、７及び７ａは回線交換網に収容されている一般電話機、８及び８ａは回線交換網を構成する交換機である。尚、回線交換網は、交換機ばかりでなく、中継器を含む伝送装置も含んで構成されが、本発明には伝送技術は直接関係しないので図示を省略している。
図２は、端末・網接続手段、装置・通話管理手段、回線交換網接続手段の機能的構成の概略を示したものである。
【００１９】
図２（イ）において、２１は端末・網接続手段全体の動作を制御する中央処理部（図では、Ｃｅｎｔｒａｌ　Ｐｒｏｃｅｓｓｉｎｇ　Ｕｎｉｔ　の頭文字による略語「ＣＰＵ」を記載している。以降、図では同様に記載する。）、２２はＩＰ通信網との通信を行うＩＰ通信部、２３は回線交換網との通信を行う一般通信部、２４は図１のＩＰ電話機１又は１ａの発信を装置・通話管理手段３に取り次ぐと共に、装置・通話管理手段３の指示に従ってＩＰ電話機とＩＰ通信網又は回線交換網との間の接続処理を行う接続制御部、２５は接続制御部２４が接続処理を行うために必要なデータを格納している記憶部である。そして、２６は中央処理部２１のバスで、ＩＰ通信部２２、一般通信部２３、接続制御部２４、記憶部２５はバス２６を介して中央処理部２１と接続される。
【００２０】
又、図２（ロ）において、３１は装置・通話管理手段全体の動作を制御する中央処理部、３２はＩＰ通信網との通信を行うＩＰ通信部、３３は図１の端末・網接続手段２又は２ａ、又は、回線交換網接続手段４又は４ａからの発信情報によってＩＰ電話機や一般電話機間の接続処理を行う、図１のＩＰ電話システムの中で最も重要な役目を果たす接続制御部、３４は接続制御部３３が接続処理を行うために必要なデータを格納している記憶部である。そして、３５は中央処理部３１のバスで、ＩＰ通信部３２、接続制御部３３、記憶部３４はバス３５を介して中央処理部３１と接続される。
【００２１】
更に、図３１（ハ）において、４１は回線交換網接続手段全体の動作を制御する中央処理部、４２は端末・網接続手段２及び装置・通話管理手段３との通信を行うＩＰ通信部、４３は交換機８又は交換機８ａとの通信を行う一般通信部、４４は図１の一般電話機１又は１ａからの発信を装置・通話管理手段３に取り次ぐと共に、装置・通話管理手段３の指示に従ってＩＰ通信網と回線交換網との間の接続処理を行う接続制御部、４５は接続制御部４４が接続処理を行うために必要なデータを格納している記憶部である。そして、４６は中央処理部４１のバスで、ＩＰ通信部４２、一般通信部４３、接続制御部４４、記憶部４５はバス４６を介して中央処理部４１と接続される。
【００２２】
さて、図２８は、端末・網接続手段が保存するデータ、図２９は、装置・通話管理手段が保存するデータ、図３０は、回線交換網接続手段が保存するデータである。
図２８に示す端末・網接続手段が保存するデータには、端末・網接続手段の自己のデータと端末・網接続手段が接続処理を行なうために必要な他装置のデータがある。
【００２３】
このうち、自己のデータには、端末・網接続手段自体の装置識別子とＩＰ通信網内で付与されるＩＰアドレスがあり、装置識別子は固定、ＩＰアドレスはＩＰ通信網においてＩＰアドレスを更新する時にデータが更新される。
又、他装置のデータには、ＩＰ通信網内で装置・通話管理手段に付与されているＩＰアドレス（図２８では、単に「管理手段」と記載しているが、装置・通話管理手段のことである。）、当該端末・網接続手段に接続されているＩＰ電話機から発信があった時に保存する通信先電話機のＩＰアドレス及び電話番号、通信開始時に装置・通話管理手段から通知されるインスタンスＩＤ（Ｉｄｅｎｔｆｉｅｒ　の頭２字による略語である。）がある。ここで、「インスタンス」とは、電話機間の個々の接続又は通話の意味であり、又、装置・通話管理手段のＩＰアドレスはＩＰ通信網におけるＩＰアドレス更新時にデータが更新される。
【００２４】
図２９に示す装置・通話管理手段が保存するデータには、（イ）端末・網接続手段、回線交換網接続手段単位のデータと、（ロ）インスタンス単位のデータとがある。
このうち、（イ）端末・網接続手段、回線交換網接続手段単位のデータには、端末・網接続手段又は回線交換網接続手段単位のデータ（図２９では、単に「接続手段情報」と記載しているが、この「接続手段」は端末・網接続手段又は回線交換網接続手段を意味する。）と、端末・網接続手段又は回線交換網接続手段に接続されている加入者のデータとがある。
【００２５】
先の、端末・網接続手段又は回線交換網接続手段単位のデータには、端末・網接続手段又は回線交換網接続手段に回線交換網で付与されている電話番号である電話番号１と、端末・網接続手段又は回線交換網接続手段にＩＰ通信網で付与されている電話番号である電話番号２と、端末・網接続手段又は回線交換網接続手段にＩＰ通信網で付与されいるＩＰアドレスがある。
【００２６】
又、加入者データには、端末・網接続手段又は回線交換網接続手段の識別子毎に、端末・網接続手段又は回線交換網接続手段に収容されている電話機の回線交換網における電話番号、該電話機のＩＰ通信網におけるＩＰアドレス、及び、該電話機がＩＰ通信網を経由して通話できるか否かのサービス利用可否情報が保存される。尚、端末・網接続手段はＩＰ電話機と１：１に設置されるので、端末・網接続手段に関する加入者データは単一のＩＰ電話機のデータであるが、回線交換網接続手段に関する加入者データは複数の一般電話機のデータを含んでいる。そして、一般電話機についてもＩＰ通信網におけるＩＰアドレスとサービス利用可否情報を保存するのは、一般電話機からの発信をＩＰ通信網経由で接続することを考慮しているからである。
【００２７】
後の、インスタンス単位のデータには、接続の度に付与されるインスタンスＩＤと共に、発信側電話機の電話番号又はＩＰアドレスである発側電話機ＩＤ、着信側電話機の電話番号又はＩＰアドレスである着側電話機ＩＤ、発信側の端末・網接続手段又は回線交換網接続手段のＩＰアドレスである発側装置ＩＰアドレス、及び、着信側の端末・網接続手段又は回線交換網接続手段のＩＰアドレスである着側装置ＩＰアドレスが保存される。尚、インスタンス単位のデータは、当該インスタンスが消滅した時即ち当該インスタンスに対応する通話が完了した時に消去される。
【００２８】
図３０に示す回線交換網接続手段が保存するデータには、（イ）回線交換網接続手段固有のデータと、（ロ）インスタンス単位のデータとがある。
このうち、（イ）回線交換網接続手段固有のデータには、回線交換網接続手段固有の識別子である装置識別子、回線交換網接続手段のＩＰアドレスであるＩＰアドレス、装置・通話管理手段のＩＰアドレス（図３０では「ＩＰＡ」と略記しているが、これは「ＩＰアドレス」と同義である。）である管理手段ＩＰアドレスがある。
【００２９】
又、（ロ）インスタンス単位のデータの内容は、装置・通話管理手段が保存するデータのインスタンス単位のデータと同じである。
以降、ＩＰ電話機間を接続するケース、ＩＰ電話機から発信して一般電話機に着信させるケース、一般電話機から発信してＩＰ電話機に着信させるケース、及び、一般電話機間を接続するケースについて、各々、具体的な接続経路に関して切素読処理の手順を説明し、その上で、それらのケースを統合したフローチャートによって本発明のＩＰ電話システムにおける接続処理を説明する。
【００３０】
図３は、ＩＰ電話機間の接続の手順を説明する図（その１）、図４は、ＩＰ電話機間の接続のシーケンス（その１）で、ＩＰ電話機から発信してＩＰ通信網を経由して端末・網接続手段経由でＩＰ電話機に接続する場合を示しており、しかも、図３と図４は異なる表現で同じ接続手順を示している。尚、図３及び図４は通話開始までの手順のみを示していることに留意されたい。
【００３１】
図３において、１及び１ａはＩＰ通信網に収容されているＩＰ電話機、２及び２ａはＩＰ電話機１及び１ａをＩＰ通信網又は回線交換網に接続する端末・網接続手段、４及び４ａは該ＩＰ通信網を構成するルータ（図示せず）の一部と該回線交換網を構成する交換機の一部とを接続する回線交換網接続手段、３はＩＰ通信網を構成するいずれかのルータ（図示せず）に接続されて、該端末・網接続手段及び該回線交換網接続手段毎のデータ及び通話インスタンスごとのデータを保存して、該ＩＰ電話機や該交換機に収容される一般電話機との間の接続を管理する装置・通話管理手段である。
【００３２】
又、７及び７ａは回線交換網に収容されている一般電話機、８及び８ａは回線交換網を構成する交換機である。
図３及び図４に示すＩＰ電話機間の接続の手順は下記の通りである。
（１）ＩＰ電話機１は、端末・網接続手段に対して発信する。
（２）端末・網接続手段２は、ＩＰ電話機１の発信データを添えて装置・通話管理手段３を呼び出す。
【００３３】
（３）装置・通話管理手段３は、端末・網接続手段２からの発信データと自己が保存しているデータとから接続経路を決定するが、この場合には端末・網接続手段２ａに接続すべく決定し、端末・網接続手段２ａの状態を確認して接続待ち要求を出す。
（４）この場合には、端末・網接続手段２ａは通信可の応答を出すことを想定しており、
（５）通信可の応答を受けた装置・通話管理手段３は、端末・網接続手段２に通信可の応答を転送し、
（６）端末・網接続手段２は、ＩＰ通信網を経由して端末・網接続手段２ａと通信を開始し、
（７）端末・網接続手段２ａは、ＩＰ電話機１ａを呼び出し、
（８）ＩＰ電話機１とＩＰ電話機１ａが通話を開始する。
【００３４】
ここで、装置・通話管理手段３が端末・網接続手段２ａに接続すべく決定する処理については、複数のケースを統合したフローチャートによって説明する。
図５は、ＩＰ電話機間の接続の手順を説明する図（その２）、図６は、ＩＰ電話機間の接続のシーケンス（その２）で、ＩＰ電話機から発信してＩＰ通信網を経由して回線交換網接続手段経由でＩＰ電話機に接続する場合を示している。そして、図５に示した構成、図５と図６の関係、及び、図５及び図６が示す手順の内容は、図３及び図４と同じである。従って、図５の構成の説明は省略する。
【００３５】
図５及び図６に示すＩＰ電話機間の接続の手順は下記の通りである。
（１）ＩＰ電話機１は、端末・網接続手段に対して発信する。
（２）端末・網接続手段２は、ＩＰ電話機１の発信データを添えて装置・通話管理手段３を呼び出す。
（３）装置・通話管理手段３は、端末・網接続手段２からの発信データと自己が保存しているデータとから接続経路を決定するが、この場合には回線交換網接続手段４ａに接続すべく決定し、回線交換網接続手段４ａの状態を確認して接続待ち要求を出す。
【００３６】
（４）この場合には、回線交換網接続手段４ａは通信可の応答を出すことを想定しており、
（５）通信可の応答を受けた装置・通話管理手段３は、端末・網接続手段２に通信可の応答を転送し、
（６）端末・網接続手段２は、ＩＰ通信網を経由して回線交換網接続手段４ａと通信を開始し、
（７）回線交換網接続手段４ａは、交換機８ａを経由してＩＰ電話機１ａを呼び出し、
（８）ＩＰ電話機１とＩＰ電話機１ａが通話を開始する。
【００３７】
ここで、装置・通話管理手段３が回線交換網接続手段４ａに接続すべく決定する処理については、複数のケースを統合したフローチャートによって説明する。
図７は、ＩＰ電話機間の接続の手順を説明する図（その３）、図８は、ＩＰ電話機間の接続のシーケンス（その３）で、ＩＰ電話機から発信して回線交換網を経由してＩＰ電話機に接続する場合を示している。そして、図７に示した構成、図７と図８の関係、及び、図７及び図８が示す手順の内容は、図３及び図４と同じである。従って、図７の構成の説明は省略する。
【００３８】
図７及び図８に示すＩＰ電話機間の接続の手順は下記の通りである。
（１）ＩＰ電話機１は、端末・網接続手段に対して発信する。
（２）端末・網接続手段２は、ＩＰ電話機１の発信データを添えて装置・通話管理手段３を呼び出す。
（３）装置・通話管理手段３は、端末・網接続手段２からの発信データと自己が保存しているデータとから接続経路を決定するが、この場合には回線交換網経由で接続すべく決定し、端末・網接続手段２にその旨指示する。
【００３９】
（４）端末・網接続手段２は、交換機８を呼び出し、
（５）交換機８は、交換機８ａ及び端末・網接続手段２ａを介してＩＰ電話機１ａを呼び出し、
（６）ＩＰ電話機１とＩＰ電話機１ａが通話を開始する。
ここで、装置・通話管理手段３が回線交換網経由に決定する処理については、複数のケースを統合したフローチャートによって説明する。
【００４０】
図９は、ＩＰ電話機→一般電話機の接続の手順を説明する図（その１）、図１０は、ＩＰ電話機→一般電話機の接続のシーケンス（その１）で、ＩＰ電話機から発信してＩＰ通信網を経由して回線交換網接続手段経由で一般電話機に接続する場合を示している。そして、図９に示した構成、図９と図１０の関係、及び、図９及び図１０が示す手順の内容は、図３及び図４と同じである。従って、図９の構成の説明は省略する。
【００４１】
図９及び図１０に示すＩＰ電話機間の接続の手順は下記の通りである。
（１）ＩＰ電話機１は、端末・網接続手段に対して発信する。
（２）端末・網接続手段２は、ＩＰ電話機１の発信データを添えて装置・通話管理手段３を呼び出す。
（３）装置・通話管理手段３は、端末・網接続手段２からの発信データと自己が保存しているデータとから接続経路を決定するが、この場合にはＩＰ通信網を経由して回線交換網接続手段に接続すべく決定し、回線交換網接続手段４ａの状態を確認して接続待ち要求を出す。
【００４２】
（４）この場合には、ｗｒ接続手段４ａは通信可の応答を出すことを想定しており、
（５）通信可の応答を受けた装置・通話管理手段３は、端末・網接続手段２に通信可の応答を転送し、
（６）端末・網接続手段２は、ＩＰ通信網を経由して回線交換網接続手段４ａと通信を開始し、
（７）回線交換網接続手段４ａは、交換機８ａ経由で一般電話機７ａを呼び出し、
（８）ＩＰ電話機１と一般電話機７ａが通話を開始する。
【００４３】
ここで、装置・通話管理手段３が回線交換網接続手段４ａに接続すべく決定する処理については、複数のケースを統合したフローチャートによって説明する。図１１は、ＩＰ電話機→一般電話機の接続の手順を説明する図（その２）、図１２は、ＩＰ電話機→一般電話機の接続のシーケンス（その２）で、ＩＰ電話機から発信して回線交換網を経由して一般電話機に接続する場合を示している。そして、図１１に示した構成、図１１と図１２の関係、及び、図１１及び図１２が示す手順の内容は、図３及び図４と同じである。従って、図１１の構成の説明は省略する。
【００４４】
図１１及び図１２に示すＩＰ電話機→一般電話機の接続の手順は下記の通りである。
（１）ＩＰ電話機１は、端末・網接続手段に対して発信する。
（２）端末・網接続手段２は、ＩＰ電話機１の発信データを添えて装置・通話管理手段３を呼び出す。
【００４５】
（３）装置・通話管理手段３は、端末・網接続手段２からの発信データと自己が保存しているデータとから接続経路を決定するが、この場合には回線交換網経由で接続すべく決定し、端末・網接続手段２にその旨指示する。
（４）端末・網接続手段２は、交換機８を呼び出し、
（５）交換機８は、交換機８ａを介して一般電話機７ａを呼び出し、
（６）ＩＰ電話機１と一般電話機７ａが通話を開始する。
【００４６】
ここで、装置・通話管理手段３が回線交換網経由に決定する処理については、複数のケースを統合したフローチャートによって説明する。
図１３は、一般電話機→ＩＰ電話機の接続の手順を説明する図（その１）、図１４は、一般電話機→ＩＰ電話機の接続のシーケンス（その１）で、一般電話機から発信してＩＰ通信網を経由して端末・網接続手段経由でＩＰ電話機に接続する場合を示している。そして、図１３に示した構成、図１３と図１４の関係、及び、図１３及び図１４が示す手順の内容は、図３及び図４と同じである。従って、図１３の構成の説明は省略する。
【００４７】
図１３及び図１４に示す一般電話機→ＩＰ電話機の接続の手順は下記の通りである。
（１）一般電話機７ａは、交換機８ａに対して発信する。
（２）交換機８ａは、一般電話機７ａの発信データを添えて回線交換網接続手段４ａを呼び出す。
【００４８】
（３）回線交換網接続手段４ａは、装置・通話管理手段３を呼び出す。
（４）装置・通話管理手段３は、回線交換網接続手段４ａからの発信データと自己が保存しているデータとから接続経路を決定するが、この場合にはＩＰ通信網を経由して端末・網接続手段２に接続すべく決定し、端末・網接続手段２の状態を確認して接続待ち要求を出す。
【００４９】
（５）この場合には、端末・網接続手段２は通信可の応答を出すことを想定しており、
（６）通信可の応答を受けた装置・通話管理手段３は、回線交換網接続手段４ａに通信可の応答を転送し、
（７）回線交換網接続手段４ａは、ＩＰ通信網を経由して端末・網接続手段２と通信を開始し、
（８）回線交換網接続手段４ａは、端末・網接続手段２経由でＩＰ電話機１を呼び出し、
（８）一般電話機７ａとＩＰ電話機１が通話を開始する。
【００５０】
ここで、装置・通話管理手段３が端末・網接続手段２に接続すべく決定する処理については、複数のケースを統合したフローチャートによって説明する。
図１５は、一般電話機→ＩＰ電話機の接続の手順を説明する図（その２）、図１６は、一般電話機→ＩＰ電話機の接続のシーケンス（その２）で、一般電話機から発信してＩＰ通信網を経由して回線交換網接続手段経由でＩＰ電話機に接続する場合を示している。そして、図１５に示した構成、図１５と図１６の関係、及び、図１５及び図１６が示す手順の内容は、図３及び図４と同じである。従って、図１５の構成の説明は省略する。
【００５１】
図１５及び図１６に示す一般電話機→ＩＰ電話機の接続の手順は下記の通りである。
（１）一般電話機７ａは、交換機８ａに対して発信する。
（２）交換機８ａは、一般電話機７ａの発信データを添えて回線交換網接続手段４ａを呼び出す。
【００５２】
（３）回線交換網接続手段４ａは、装置・通話管理手段３を呼び出す。
（４）装置・通話管理手段３は、回線交換網接続手段４ａからの発信データと自己が保存しているデータとから接続経路を決定するが、この場合にはＩＰ通信網を経由して回線交換網接続手段４に接続すべく決定し、回線交換網接続手段４の状態を確認して接続待ち要求を出す。
【００５３】
（５）この場合には、回線交換網接続手段４は通信可の応答を出すことを想定しており、
（６）通信可の応答を受けた装置・通話管理手段３は、回線交換網接続手段４ａに通信可の応答を転送し、
（７）回線交換網接続手段４ａは、ＩＰ通信網を経由して回線交換網接続手段４と通信を開始し、
（８）回線交換網接続手段４ａは、回線交換網接続手段４及び交換機８経由でＩＰ電話機１を呼び出し、
（９）一般電話機７ａとＩＰ電話機１が通話を開始する。
【００５４】
ここで、装置・通話管理手段３が回線交換網接続手段４に接続すべく決定する処理については、複数のケースを統合したフローチャートによって説明する。
図１７は、一般電話機→ＩＰ電話機の接続の手順を説明する図（その３）、図１８は、一般電話機→ＩＰ電話機の接続のシーケンス（その３）で、一般電話機から発信して回線交換網を経由してＩＰ電話機に接続する場合を示している。そして、図１７に示した構成、図１７と図１８の関係、及び、図１７及び図１８が示す手順の内容は、図３及び図４と同じである。従って、図１７の構成の説明は省略する。
【００５５】
図１７及び図１８に示す一般電話機→ＩＰ電話機の接続の手順は下記の通りである。
（１）一般電話機７ａは、交換機８ａに対して発信する。
（２）交換機８ａは、一般電話機７ａの発信データを添えて回線交換網接続手段４ａを呼び出す。
【００５６】
（３）回線交換網接続手段４ａは、装置・通話管理手段３を呼び出す。
（４）装置・通話管理手段３は、回線交換網接続手段４ａからの発信データと自己が保存しているデータとから接続経路を決定するが、この場合には回線交換網を経由して接続すべく決定し、回線交換網接続手段４ａにその旨指示し、
（５）回線交換網接続手段４ａは、交換機８ａを呼び出し、
（６）交換機８ａは、交換機８及び端末・網接続手段２経由でＩＰ電話機１を呼び出し、
（７）一般電話機７ａとＩＰ電話機１が通話を開始する。
【００５７】
ここで、装置・通話管理手段３が回線交換網経由で接続すべく決定する処理については、複数のケースを統合したフローチャートによって説明する。
図１９は、一般電話機間の接続の手順を説明する図（その１）、図２０は、一般電話機間の接続のシーケンス（その１）で、一般電話機から発信してＩＰ通信網を経由して回線交換網接続手段経由で一般電話機に接続する場合を示している。そして、図１９に示した構成、図１９と図２０の関係、及び、図１９及び図２０が示す手順の内容は、図３及び図４と同じである。従って、図１９の構成の説明は省略する。
【００５８】
図１９及び図２０に示す一般電話機間の接続の手順は下記の通りである。
（１）一般電話機７ａは、交換機８ａに対して発信する。
（２）交換機８ａは、一般電話機７ａの発信データを添えて回線交換網接続手段４ａを呼び出す。
（３）回線交換網接続手段４ａは、装置・通話管理手段３を呼び出す。
【００５９】
（４）装置・通話管理手段３は、回線交換網接続手段４ａからの発信データと自己が保存しているデータとから接続経路を決定するが、この場合にはＩＰ通信網を経由して回線交換網接続手段４に接続すべく決定し、回線交換網接続手段４の状態を確認して接続待ち要求を出す。
（５）この場合には、回線交換網接続手段４は通信可の応答を出すことを想定しており、
（６）通信可の応答を受けた装置・通話管理手段３は、回線交換網接続手段４ａに通信可の応答を転送し、
（７）回線交換網接続手段４ａは、ＩＰ通信網を経由して回線交換網接続手段４と通信を開始し、
（８）回線交換網接続手段４ａは、回線交換網接続手段４及び交換機８経由で一般電話機７を呼び出し、
（９）一般電話機７ａと一般電話機７が通話を開始する。
【００６０】
ここで、装置・通話管理手段３が回線交換網接続手段４に接続すべく決定する処理については、複数のケースを統合したフローチャートによって説明する。
図２１は、一般電話機間の接続の手順を説明する図（その２）、図２２は、一般電話機間の接続のシーケンス（その２）で、一般電話機から発信して回線交換網を経由して一般電話機に接続する場合を示している。そして、図２１に示した構成、図２１と図２２の関係、及び、図２１及び図２２が示す手順の内容は、図３及び図４と同じである。従って、図２１の構成の説明は省略する。
【００６１】
図２１及び図２２に示す一般電話機間の接続の手順は下記の通りである。
（１）一般電話機７ａは、交換機８ａに対して発信する。
（２）交換機８ａは、一般電話機７ａの発信データを添えて回線交換網接続手段４ａを呼び出す。
（３）回線交換網接続手段４ａは、装置・通話管理手段３を呼び出す。
【００６２】
（４）装置・通話管理手段３は、回線交換網接続手段４ａからの発信データと自己が保存しているデータとから接続経路を決定するが、この場合には回線交換網を経由して接続すべく決定し、回線交換網接続手段４ａにその旨指示し、
（５）回線交換網接続手段４ａは、交換機８ａを呼び出し、
（６）交換機８ａは、交換機８経由で一般電話機７を呼び出し、
（７）一般電話機７ａと一般電話機７が通話を開始する。
【００６３】
ここで、装置・通話管理手段３が回線交換網経由で接続すべく決定する処理については、複数のケースを統合したフローチャートによって説明する。
以上、ＩＰ電話機間の接続、ＩＰ電話機→一般電話機の接続、一般電話機→ＩＰ電話機の接続、及び、一般電話機間の接続の考えうる全てのケースの接続手順について説明した。
【００６４】
以降、これらの複数のケースを統合したフローチャートと、及び、端末・網接続手段、装置・通話管理手段、回線交換網接続手段に保存するデータを参照して本発明の技術を詳細に説明する。
図２３は、ＩＰ電話機発信の場合の接続処理を示すフローチャート（その１）である。「ＩＰ電話機発信の場合」であるから、ＩＰ電話機間、ＩＰ電話機→一般電話機の全てのケースを統合したフローチャートである。尚、ケースによっては交換機を経由して接続する必要があるが、交換機を経由する接続は当業者には容易に理解できる技術であるので、図２３の中では交換機は図示を省略している。
【００６５】
Ｓ１．ＩＰ電話機が着信側の電話番号を指定して発信する。端末・網接続手段においてＩＰ電話機の発信を受けるのは、図２のＩＰ通信部でも一般通信部でもよいが、ここではＩＰ通信部を介して受信するものとする。
Ｓ２．ＩＰ通信部を介してＩＰ電話機の発信を受信した端末・網接続手段の接続制御部は、記憶部に着信先ＩＰアドレス又は電話番号を格納し、自己の識別子と着信先の電話番号を付して装置・通話管理手段を呼び出して、応答を待つ。これは、端末・網接続手段が装置・通話管理手段のＩＰアドレスを保存しているために可能になる。
【００６６】
Ｓ３．装置・通話管理手段の接続制御部は、発信元端末・網接続手段の識別子から発信元電話機のＩＰアドレス及び利用可否情報を検索し、発信元加入者が登録されているか否か判断する。
Ｓ４．装置・通話管理手段の接続制御部は、ステップＳ３で、発信元加入者が登録されていなかった場合（Ｎｏ）には、ＩＰ通信網への接続が不可能である旨端末・網接続手段に向けて通知する。
【００６７】
Ｓ５．一方、ステップＳ３で、発信元加入者が登録されていた場合（Ｙｅｓ）には、インスタンスＩＤを取得する。
Ｓ６．装置・通話管理手段の接続制御部は、着信先の電話番号をキーに端末・網接続手段の加入者データと回線交換網接続手段の加入者データを検索し、着信先電話番号が端末・網接続手段の加入者データに登録されているか否か判断する。
【００６８】
Ｓ７．ステップＳ６で、着信先電話番号が端末・網接続手段の加入者データに登録されていた場合（Ｙｅｓ）には、着信先電話番号、発信元電話番号、着信先ＩＰアドレス、発信元ＩＰアドレス及びインスタンスＩＤを付して端末・網接続手段を呼び出す。
これは、ＩＰ電話機間の接続（その１）の（３）に該当する。
【００６９】
Ｓ７’．ステップＳ６で、着信先電話番号が端末・網接続手段の加入者データに登録されていなかった場合（Ｎｏ）には、着信先電話番号、発信元電話番号、発信元ＩＰアドレス及びインスタンスＩＤを付して回線交換網接続手段を呼び出す。
これは、ＩＰ電話機→一般電話機の接続（その１）の（３）に該当する。
【００７０】
Ｓ８．装置・通話管理手段から呼び出しを受けた端末・網接続手段又は回線交換網接続手段の接続制御部は、自己の状態から判断して接続可否の応答を装置・通話管理手段に出す。この応答には、着信側ＩＰアドレス、インスタンスＩＤ及び接続可否情報が搭載される。
Ｓ９．上記応答を受けた装置・通話管理手段の接続制御部は、着信側ＩＰアドレス、インスタンスＩＤ及び接続可否情報を付して端末・網接続手段に接続可否の応答を返す。
【００７１】
Ｓ１０．端末・網接続手段の接続制御部は、ステップＳ４の接続可否応答、ステップＳ９の接続可否応答を待っており、応答がタイム・アウトしたか否か判断する。
Ｓ１１．ステップＳ１０で、タイム・アウトしなかった場合（Ｎｏ）には、ステップＳ４の接続可否応答とステップＳ９の接続可否応答が接続可であったか否か判断する。
【００７２】
Ｓ１２．ステップＳ１１で、ステップＳ４の接続可否応答とステップＳ９の接続可否応答が接続可であった場合（Ｙｅｓ）には、リンク確立を行なって、着信側の端末・網接続手段又は着信側の回線交換網接続手段と通信を開始する。
Ｓ１３．発振側の端末・網接続手段からのリンク確立アクションを受けた着信側の端末・網接続手段又は着信側の回線交換網接続手段は、リンク確立応答を端末・網接続手段に向けて出す。
【００７３】
Ｓ１４．端末・網接続手段のＩＰ通信部は、リンク確立に成功したか否か判断する。
Ｓ１５．ステップＳ１０で、応答がタイム・アウトした場合（Ｙｅｓ）と、ステップＳ１１で、接続不可であった場合（Ｎｏ）と、ステップＳ１４で、リンク確立に成功しなかった場合（Ｎｏ）には、端末・網接続手段の接続制御部は、回線交換網経由で接続を行なう。即ち、回線交換網を構成する複数の交換機を経由し、最終的に着信側の端末・網接続手段を介して着信側のＩＰ電話機に接続する。
【００７４】
これは、ＩＰ電話機間の接続（その３）、ＩＰ電話機→一般電話機の接続（その２）において、装置・通話管理手段が端末・網接続手段に出す応答（３）に該当する。
尚、回線交換網経由の接続は当業者には容易に理解できる技術であるので、接続と解放の詳細の記載は省略し、便宜的に処理を終了するように図示している。
【００７５】
Ｓ１６．又、着信側の端末・網接続手段又は着信側の回線交換網接続手段のＩＰ通信部は、リンク確立に成功したか否か判断する。
そして、リンク確立に失敗した場合（Ｎｏ）には、処理を終了する。
Ｓ１７．端末・網接続手段の接続制御部は、ステップＳ１４で、リンク確立に成功した場合（Ｙｅｓ）には、発信したＩＰ電話機との接続を固定する。
【００７６】
Ｓ１８．一方、着信側の端末・網接続手段又は着信側の回線交換網接続手段の接続制御部は、ＩＰ電話機又は一般電話機を呼び出す。
この場合、端末・網接続手段がＩＰ電話機を呼び出す場合には直接、回線交換網接続手段がＩＰ電話機を呼び出す場合には交換機及び端末・網接続手段を介して呼び出しを行なうが、これは図示を省略している。
【００７７】
Ｓ１９．呼び出しを受けたＩＰ電話機又は一般電話機は、応答を出し、それが発信元のＩＰ電話機に伝わると通話状態となる。
Ｓ２０．通話中、発信元のＩＰ電話機がオン・フックすると、
Ｓ２１．発信側の端末・網接続手段が切断信号を着信側の端末・網接続手段又は着信側の回線交換網接続手段に転送する。
【００７８】
又は、
Ｓ２２．通話中、着信側のＩＰ電話機又は一般電話機がオン・フックすると、
Ｓ２３．着信側の端末・網接続手段又は着信側の回線交換網接続手段が切断信号を発信側の端末・網接続手段に転送する。
Ｓ２４．発信側の端末・網接続手段の接続制御部は、切断動作があったか否か剪断する。
【００７９】
ここで、発信側のＩＰ電話機がオン・フックしたか、着信側から切断信号が転送された時に切断動作があったと判断する。
切断動作がなかった場合（Ｎｏ）には、通話状態を継続する。
Ｓ２５．着信側の端末・網接続手段又は着信側の回線交換網接続手段の接続制御部は、切断動作があったか否か剪断する。
【００８０】
切断動作の生むの判断基準は上記と同じである。
切断動作がなかった場合（Ｎｏ）には、通話状態を継続する。
Ｓ２６．ステップＳ２４で、切断動作があった場合（Ｙｅｓ）には、切断信号を装置・通話管理手段に転送し、
Ｓ２７．発信元のＩＰ電話機を切断する。
【００８１】
Ｓ２８．ステップＳ２５で、切断動作があった場合（Ｙｅｓ）には、着信側のＩＰ電話機又は一般電話機を切断する。
Ｓ２９．一方、発信側の端末・網接続手段から切断信号を受けた装置・通話管理手段の接続制御部は、上記通話のインスタンスを解放して、インスタンスに関するデータを消去する。
【００８２】
図２４は、ＩＰ電話機発信の場合の接続処理を示すフローチャート（その２）である。フローチャートの本質的な内容及び交換機を経由する接続は図示を省略していることは図２３と同じであるが、切断の処理だけが図２３と異なっている。
即ち、図２３では切断処理は発信元の端末・網接続手段でも、着信側の端末・網接続手段又は回線交換網接続手段でも行なえるとしているが、通常の電話システムでは発呼者制御が通常なので、切断処理を発呼者制御にしたのが図２４である。従って、ステップＳ１９までは図２３と全く同じなので、ステップＳ２０以降についてのみ説明を記載する。
【００８３】
Ｓ２０．通話中、発信元のＩＰ電話機がオン・フックすると、
Ｓ２４’．発信側の端末・網接続手段の接続制御部は、切断動作があったか否か剪断する。
ここで、発信側のＩＰ電話機がオン・フックした時に切断動作があったと判断する。
【００８４】
切断動作がなかった場合（Ｎｏ）には、通話状態を継続する。
Ｓ２６’．ステップＳ２４’で、切断動作があった場合（Ｙｅｓ）には、切断信号をＵ　ＲＩＳ；側の端末・網接続手段又は着信側の回線交換網接続手段及び装置・通話管理手段に転送する。
Ｓ２７．発信元のＩＰ電話機を切断する。
【００８５】
Ｓ２５’．着信側の端末・網接続手段又は着信側の回線交換網接続手段の接続制御部は、切断動作があったか否か判断する。
切断動作の有無の判断基準は発信元の端末・網接続手段から切断信号を受けたか否かである。
切断動作がなかった場合（Ｎｏ）には、通話状態を継続する。
【００８６】
Ｓ２８．ステップＳ２５’で、切断動作があった場合（Ｙｅｓ）には、着信側のＩＰ電話機又は一般電話機を切断する。
Ｓ２９．一方、発信側の端末・網接続手段から切断信号を受けた装置・通話管理手段の接続制御部は、上記通話のインスタンスを解放して、インスタンスに関するデータを消去する。
【００８７】
図２５は、一般電話機発信の場合の接続処理を示すフローチャートである。「一般電話機発信の場合」であるから、一般電話機間、一般電話機→ＩＰ電話機の全てのケースを統合したフローチャートである。尚、ケースによっては交換機を経由して接続する必要があるが、交換機を経由する接続は当業者には容易に理解できる技術であるので、図２５の中では交換機は図示を省略している。
【００８８】
図２５と図２３を見れば明らかなように、図２５は形式的には図２３における左側の端末・網接続手段を回線交換網接続手段に置換えただけであるが、物理的にはかなり異なる点があるので、重複を厭わず記載することにする。
Ｔ１．一般電話機が着信側の電話番号を指定して交換機経由で回線交換網接続手段に発信する。回線交換網接続手段において一般電話機の発信を受けるのは、図２の一般通信部である。
【００８９】
Ｔ２．一般通信部を介して一般電話機の発信を受信した回線交換網接続手段の接続制御部は、記憶部に着信先ＩＰアドレス又は電話番号を格納し、自己の識別子と発信元の電話番号及び着信先の電話番号を付して装置・通話管理手段を呼び出して、応答を待つ。これは、回線交換網接続手段が装置・通話管理手段のＩＰアドレスを保存しているために可能になる。
【００９０】
Ｔ３．装置・通話管理手段の接続制御部は、発信元回線交換網接続手段の識別子と発信元電話機の電話番号から発信元電話機のＩＰアドレス及び利用可否情報を検索し、発信元加入者が登録されているか否か判断する。
Ｔ４．装置・通話管理手段の接続制御部は、ステップＴ３で、発信元加入者が登録されていなかった場合（Ｎｏ）には、ＩＰ通信網への接続が不可能である旨回線交換網接続手段に向けて通知する。
【００９１】
Ｔ５．一方、ステップＴ３で、発信元加入者が登録されていた場合（Ｙｅｓ）には、インスタンスＩＤを取得する。
Ｔ６．装置・通話管理手段の接続制御部は、着信先の電話番号をキーに端末・網接続手段の加入者データと回線交換網接続手段の加入者データを検索し、着信先電話番号が端末・網接続手段の加入者データに登録されているか否か判断する。
【００９２】
Ｔ７．ステップＴ６で、着信先電話番号が端末・網接続手段の加入者データに登録されていた場合（Ｙｅｓ）には、着信先電話番号、発信元電話番号、着信先ＩＰアドレス、発信元ＩＰアドレス及びインスタンスＩＤを付して端末・網接続手段を呼び出す。
これは、一般電話機→ＩＰ電話機の接続（その１）の（４）に該当する。
【００９３】
Ｔ７’．ステップＴ６で、着信先電話番号が端末・網接続手段の加入者データに登録されていなかった場合（Ｎｏ）には、着信先電話番号、発信元電話番号、発信元ＩＰアドレス及びインスタンスＩＤを付して回線交換網接続手段を呼び出す。
これは、一般電話機→ＩＰ電話機の接続（その２）の（４）、一般電話間の接続（その１）の（４）に該当する。
【００９４】
Ｔ８．装置・通話管理手段から呼び出しを受けた着信側の端末・網接続手段又は着信側の回線交換網接続手段の接続制御部は、自己の状態から判断して接続可否の応答を装置・通話管理手段に出す。この応答には、着信側ＩＰアドレス、インスタンスＩＤ及び接続可否情報が搭載される。
Ｔ９．上記応答を受けた装置・通話管理手段の接続制御部は、着信側ＩＰアドレス、インスタンスＩＤ及び接続可否情報を付して発信元の回線交換網接続手段に接続可否の応答を返す。
【００９５】
Ｔ１０．発信元の回線交換網接続手段の接続制御部は、ステップＴ４の接続可否応答、ステップＴ９の接続可否応答を待っており、応答がタイム・アウトしたか否か判断する。
Ｔ１１．ステップＴ１０で、タイム・アウトしなかった場合（Ｎｏ）には、ステップＴ４の接続可否応答とステップＴ９の接続可否応答が接続可であったか否か判断する。
【００９６】
Ｔ１２．ステップＴ１１で、ステップＴ４の接続可否応答とステップＴ９の接続可否応答が接続可であった場合（Ｙｅｓ）には、リンク確立を行なって、着信側の端末・網接続手段又は着信側の回線交換網接続手段と通信を開始する。
Ｔ１３．発信側の回線交換網接続手段からのリンク確立アクションを受けた着信側の端末・網接続手段又は着信側の回線交換網接続手段は、リンク確立応答を端末・網接続手段に向けて出す。
【００９７】
Ｔ１４．発信元の回線交換網接続手段ＩＰ通信部は、リンク確立に成功したか否か判断する。
Ｔ１５．ステップＴ１０で、応答がタイム・アウトした場合（Ｙｅｓ）と、ステップＴ１１で、接続不可であった場合（Ｎｏ）と、ステップＴ１４で、リンク確立に成功しなかった場合（Ｎｏ）には、発信元の回線交換網接続手段の接続制御部は、回線交換網経由で接続を行なう。即ち、回線交換網を構成する複数の交換機を経由して着信側のＩＰ電話機又は一般電話機に接続する。
【００９８】
これは、一般電話機間の接続（その２）、一般電話機→ＩＰ電話機の接続（その３）において、装置・通話管理手段が回線交換網接続手段に出す応答（４）に該当する。
尚、回線交換網経由の接続は当業者には容易に理解できる技術であるので、接続と解放の詳細の記載は省略し、便宜的に処理を終了するように図示している。
【００９９】
Ｔ１６．又、着信側の端末・網接続手段又は着信側の回線交換網接続手段のＩＰ通信部は、リンク確立に成功したか否か判断する。
そして、リンク確立に失敗した場合（Ｎｏ）には、処理を終了する。
Ｔ１７．発信元の回線交換網接続手段の接続制御部は、ステップＴ１４で、リンク確立に成功した場合（Ｙｅｓ）には、発信した一般電話機との接続を固定する。
【０１００】
Ｔ１８．一方、着信側の端末・網接続手段又は着信側の回線交換網接続手段の接続制御部は、ＩＰ電話機又は一般電話機を呼び出す。
この場合、端末・網接続手段がＩＰ電話機を呼び出す場合には直接、回線交換網接続手段がＩＰ電話機を呼び出す場合には交換機及び端末・網接続手段を介して呼び出しを行なうが、これは図示を省略している。
【０１０１】
Ｔ１９．呼び出しを受けたＩＰ電話機又は一般電話機は、応答を出し、それが発信元のＩＰ電話機に伝わると通話状態となる。
Ｔ２０．通話中、発信元の一般電話機がオン・フックすると、
Ｔ２１．発信側の回線交換網接続手段が切断信号を着信側の端末・網接続手段又は着信側の回線交換網接続手段に転送する。
【０１０２】
又は、
Ｔ２２．通話中、着信側のＩＰ電話機又は一般電話機がオン・フックすると、
Ｔ２３．着信側の端末・網接続手段又は着信側の回線交換網接続手段が切断信号を発信側の回線交換網接続手段に転送する。
Ｔ２４．発信側の回線交換網接続手段の接続制御部は、切断動作があったか否か剪断する。
【０１０３】
ここで、発信側の一般電話機がオン・フックしたか、着信側から切断信号が転送された時に切断動作があったと判断する。
切断動作がなかった場合（Ｎｏ）には、通話状態を継続する。
Ｔ２５．着信側の端末・網接続手段又は着信側の回線交換網接続手段の接続制御部は、切断動作があったか否か判断する。
【０１０４】
切断動作の有無の判断基準は上記と同じである。
切断動作がなかった場合（Ｎｏ）には、通話状態を継続する。
Ｔ２６．ステップＴ２４で、切断動作があった場合（Ｙｅｓ）には、切断信号を装置・通話管理手段に転送し、
Ｔ２７．発信元のＩＰ電話機を切断する。
【０１０５】
Ｔ２８．ステップＴ２５で、切断動作があった場合（Ｙｅｓ）には、着信側のＩＰ電話機又は一般電話機を切断する。
Ｔ２９．一方、発信側の回線交換網接続手段から切断信号を受けた装置・通話管理手段の接続制御部は、上記通話のインスタンスを解放して、インスタンスに関するデータを消去する。
【０１０６】
尚、図２５における切断に際して発呼者制御を適用することは、図２３に対して図２４のように変更するのと全く同じであるので、図示並びに説明を省略する。
さて、以上の説明では、装置・通話管理手段への情報の登録の説明抜きで、接続処理の説明だけを行なってきた。そこで、以降において、装置・通話管理手段への情報の登録の説明を行なうことにする。ただ、端末・網接続手段の情報を装置・通話管理手段に登録するのも、一般電話機の情報を装置・通話管理手段に登録するのも本質的には同じであるので、端末・網接続手段の情報を装置・通話管理手段に登録するケースだけについて説明することにしたい。
【０１０７】
図２６は、端末・網接続手段の情報を装置・通話管理手段に登録する手順を説明する図、図２７は、端末・網接続手段の情報を装置・通話管理手段に登録するシーケンスである。
ここで、図２６の構成は図３の構成と全く同じなので説明を省略する。又、図２６は構成図上で手順を説明するもの、図２７はシーケンス・チャート上で手順を説明するもので、両者に同じ括弧付き数字を付してあるので、一括して説明する。
【０１０８】
（１）端末・網接続手段から、交換機経由で端末・網接続手段の識別子と共にＩＰアドレスを回線交換網接続手段に送信する。
即ち、交換機は、識別子及びＩＰアドレスを搭載しているフレームに対して、端末・網接続手段の端子に固有の電話番号を付して回線交換網接続手段に出力する。これには、例えば、電話をかける際に交換機が発信電話機の電話番号を付して接続処理を行なう、発信番号表示のための技術を利用すればよい。
【０１０９】
（２）回線交換網接続手段は受信したフレームをＩＰ通信網のフレームに変換して装置・通話管理手段に転送する。
（３）装置・通話管理手段は、受信したフレームから情報を取得して記憶部に保存する。
（４）装置・通話管理手段は、保存した情報を使用して端末・網接続手段との間でＩＰ接続の正常性を確認する。
【０１１０】
（５）端末・網接続手段はＩＰ接続の正常性の確認に対する応答を返送する。
実際には、正常性が確認できないこともありうるが、ここでは正常性が確認できたものとする。
（６）装置・通話管理手段は、情報保存の終了通知を回線交換網接続手段に送信し、
（７）回線交換網接続手段は、交換機経由で保存終了通知を端末・網接続手段に送信する。
【０１１１】
これによって、装置・通話管理手段には図２９（イ）の如きデータが保存される。
一方、一般電話機の情報を装置・通話管理手段に保存する手順も、本質的には上記と同じでよい。
従って、装置・通話管理手段は任意の接続処理を行なうことが可能になる。
【０１１２】
尚、上記は最初の登録を意識して記載しているが、登録した情報の更新も全く同じ処理によって実現できる。
端末・網接続手段の情報はＩＰ通信網経由で直接装置・通話管理手段に送信することも可能であるが、発信番号表示の技術を使用すれば電話番号に人為的なミスが入らない利点が生ずる。一般電話機の情報の登録についても同様である。
【０１１３】
【発明の効果】
以上詳述した如く、本発明により、ＩＰ通信網に収容されているＩＰ電話機や、回線交換網に収容されている一般電話機との間の接続を任意に行うことができるＩＰ電話システムを実現することができる。
即ち、第一の発明によれば、該装置・通話管理手段が、該ＩＰ電話機又は該一般電話機からの発信情報を解析し、該発信情報に対応した接続経路を決定し、決定された接続経路上に配置されている該端末・網接続手段又は該回線交換網接続手段又は該交換機が接続処理を行うので、該ＩＰ電話機や該一般電話機との間の接続を任意に行うことができる。
【０１１４】
又、第二の発明によれば、該端末・網接続手段が、該ＩＰ電話機と１：１に対応して配置され、自己に固有な識別子とＩＰアドレスを保有し、該識別子及び該ＩＰアドレスを該交換機を経由して該装置・通話管理手段に通知する機能を備えるので、該装置・通話管理手段は、該ＩＰ電話機の電話番号に正しく対応した該識別子及び該ＩＰアドレスを得ることができ、正しい接続経路を決定することができる。
【０１１５】
又、第三の発明によれば、該回線交換網接続手段が、自己に固有な識別子とＩＰアドレスを保有し、該識別子と該ＩＰアドレスを該装置・通話管理手段に通知する機能を備えるので、通知された情報に従って正しい接続経路を決定することができる。
更に、第四の発明によれば、該一般電話機が、自己に固有な電話番号を該交換機を経由して該装置・通話管理手段に通知する機能を備えるので、該装置・通話管理手段は正しい接続経路を決定することができる。
【０１１６】
これらの発明により、ＩＰ通信網の加入者及び回線交換網の加入者が、ＩＰ通信網に収容されているＩＰ電話機との通話と回線交換網に収容されている一般電話機との通話を必要とする場合にも１台の電話機を使用すればよくなり、２台の電話機を設置して各々を使い分けなければならないという問題や、電話の発信、受信の操作が異なって利用者にとっては使いづらいという問題が消滅する。
【図面の簡単な説明】
【図１】本発明のＩＰ電話システムの構成。
【図２】端末・網接続手段、装置・通話管理手段、回線交換網接続手段の機能的構成。
【図３】ＩＰ電話機間の接続の手順を説明する図（その１）。
【図４】ＩＰ電話機間の接続のシーケンス（その１）。
【図５】ＩＰ電話機間の接続の手順を説明する図（その２）。
【図６】ＩＰ電話機間の接続のシーケンス（その２）。
【図７】ＩＰ電話機間の接続の手順を説明する図（その３）。
【図８】ＩＰ電話機間の接続のシーケンス（その３）。
【図９】ＩＰ電話機→一般電話機の接続の手順を説明する図（その１）。
【図１０】ＩＰ電話機→一般電話機の接続のシーケンス（その１）。
【図１１】ＩＰ電話機→一般電話機の接続の手順を説明する図（その２）。
【図１２】ＩＰ電話機→一般電話機の接続のシーケンス（その２）。
【図１３】一般電話機→ＩＰ電話機の接続の手順を説明する図（その１）。
【図１４】一般電話機→ＩＰ電話機の接続のシーケンス（その１）。
【図１５】一般電話機→ＩＰ電話機の接続の手順を説明する図（その２）。
【図１６】一般電話機→ＩＰ電話機の接続のシーケンス（その２）。
【図１７】一般電話機→ＩＰ電話機の接続の手順を説明する図（その３）。
【図１８】一般電話機→ＩＰ電話機の接続のシーケンス（その３）。
【図１９】一般電話機間の接続の手順を説明する図（その１）。
【図２０】一般電話機間の接続のシーケンス（その１）。
【図２１】一般電話機間の接続の手順を説明する図（その２）。
【図２２】一般電話機間の接続のシーケンス（その２）。
【図２３】ＩＰ電話機発信の場合の接続処理を示すフローチャート（その１）。
【図２４】ＩＰ電話機発信の場合の接続処理を示すフローチャート（その２）。
【図２５】一般電話機発信の場合の接続処理を示すフローチャート。
【図２６】端末・網接続手段の情報を装置・通話管理手段に登録する手順を説明する図。
【図２７】端末・網接続手段の情報を装置・通話管理手段に登録するシーケンス。
【図２８】端末・網接続手段が保存するデータ。
【図２９】装置・通話管理手段が保存するデータ。
【図３０】回線交換網接続手段が保存するデータ。
【図３１】従来のＩＰ電話システムの問題点。
【符号の説明】
１、１ａ　ＩＰ電話機
２、２ａ、端末・網接続手段
３　装置・通話管理手段
４、４ａ　回線交換網接続手段
５、５ａ、アダプタ
６、６ａ、６ｂ、６ｃ、６ｄ、６ｅ　ルータ
７、７ａ　一般電話機
８、８ａ　交換機
【図１】
2004032205.tif 000003
【図２】
2004032205.tif 000004
【図３】
2004032205.tif 000005
【図４】
2004032205.tif 000006
【図５】
2004032205.tif 000007
【図６】
2004032205.tif 000008
【図７】
2004032205.tif 000009
【図８】
2004032205.tif 000010
【図９】
2004032205.tif 000011
【図１０】
2004032205.tif 000012
【図１１】
2004032205.tif 000013
【図１２】
2004032205.tif 000014
【図１３】
2004032205.tif 000015
【図１４】
2004032205.tif 000016
【図１５】
2004032205.tif 000017
【図１６】
2004032205.tif 000018
【図１７】
2004032205.tif 000019
【図１８】
2004032205.tif 000020
【図１９】
2004032205.tif 000021
【図２０】
2004032205.tif 000022
【図２１】
2004032205.tif 000023
【図２２】
2004032205.tif 000024
【図２３】
2004032205.tif 000025
【図２４】
2004032205.tif 000026
【図２５】
2004032205.tif 000027
【図２６】
2004032205.tif 000028
【図２７】
2004032205.tif 000029
【図２８】
2004032205.tif 000030
【図２９】
2004032205.tif 000031
【図３０】
2004032205.tif 000032
【図３１】
2004032205.tif 000033